(57)【要約】【課題】一般家庭等で使用されるシーリングファンの昇降機において、安定した姿勢で下降・上昇させ、かつ天井面から下降した場所でシーリングファンを運転することを目的とする。【解決手段】昇降機本体１にワイヤー５等で吊設し、収縮自在のシャフト７で昇降機本体１と昇降自在な昇降部６とを接続するという構成にしたことにより、昇降部６の下降にともない、シャフト７も伸張して昇降部６は昇降機本体１とシャフトを介して接続されている状態であるため、シーリングファン８は安定した姿勢を保ったまま下降し、天井面から下降した状態で運転できるシーリングファン昇降機を得られる。【選択図】図１
2011017266.tif 000002
【特許請求の範囲】
【請求項１】
昇降機本体と、この昇降機本体にワイヤー等で吊設され、収縮自在のシャフトで昇降機本体と接続された昇降自在な昇降部と、この昇降部の下面に固定されたシーリングファンと、昇降機本体に上記昇降部を昇降制御する制御部とを有し、リモコンの信号により制御部は昇降部を床面付近まで下降できるようにしたシーリングファン昇降装置。
【請求項２】
前記制御部は、リモコンからの信号によりシーリングファンの電源を切断できるようにした請求項１に記載のシーリングファン昇降装置。
【請求項３】
前記制御部は、昇降部を下降または上昇させる時に、シーリングファンの電源を自動的に切断するようにした請求項１に記載のシーリングファン昇降装置。
【請求項４】
前記制御部は、昇降部が床面付近までの最大下降後には、昇降部が昇降機本体まで上昇した後でないとシーリングファンの電源が入らないようにした請求項１に記載のシーリングファン昇降装置。
【請求項５】
前記制御部は、床面付近までの最大下降範囲を記憶しており、床面付近までの下降時には最大下降点で自動的に停止するようにした請求項１に記載のシーリングファン昇降装置。
【請求項６】
前記昇降部下面に床面までの距離を測定する測距センサーを有し、前記制御部は測距センサーの計測値に基づき床面付近までの下降時には床面に当たらない高さで自動的に停止するようにした請求項１に記載のシーリングファン昇降装置。
【請求項７】
前記リモコンで床面まで下降させる場合には、リモコンの複数のスイッチを押さなければ床面まで下降できないようにした請求項１に記載のシーリングファン昇降装置。
【請求項８】
前記リモコンは床面まで下降させるスイッチを隠す蓋を有し、下降させる場合には、前記蓋を開き、床面まで下降させるスイッチを押さなければ床面まで下降できないようにした請求項１に記載のシーリングファン昇降装置。
【請求項９】
前記制御部は発音回路を有し、床面まで下降時には床面到着まで報知音を鳴らし続けるようにした請求項１に記載のシーリングファン昇降装置。
【請求項１０】
前記制御部は、シーリングファンが運転可能な下降範囲を記憶しており、運転時にはリモコンからの信号により、下降範囲内であれば自由にシーリングファンの高さを調節できるようにした請求項１に記載のシーリングファン昇降装置。
【請求項１１】
前記制御部は、シーリングファンが運転可能な下降範囲を記憶しており、運転開始時に下降範囲内の一番下まで自動的に下降するようにした請求項１に記載のシーリングファン昇降装置。
【請求項１２】
前記昇降部下面に床面までの距離を測定する測距センサーを有し、前記制御部は測距センサーの計測値に基づき運転時にはリモコンからの信号により、人が手を上げてもシーリングファンの羽根に手が届かない高さ以上であれば自由にシーリングファンの高さを調節できるようにした請求項１に記載のシーリングファン昇降装置。
【請求項１３】
前記昇降部下面に床面までの距離を測定する測距センサーを有し、前記制御部は測距センサーの計測値に基づき運転開始時に人が手を上げてもシーリングファンの羽根に手が届かない高さの下限まで自動的に下降するようにした請求項１に記載のシーリングファン昇降装置。
【請求項１４】
前記制御部は、運転停止時に自動的に前記昇降部を前記昇降機本体まで上昇させるようにした請求項１に記載のシーリングファン昇降装置。
【発明の詳細な説明】
【技術分野】
【０００１】
本発明は、一般家庭や事務所等で使用されるシーリングファンの昇降機に関するものである。
【背景技術】
【０００２】
従来、この種の昇降機は、照明用として電球の交換等のためスイッチで下降するものが知られている（例えば、特許文献１参照）。
【０００３】
以下、その昇降機について図１４を参照しながら説明する。
【０００４】
図１４に示すように、天井面１０１に設置される昇降機本体１０２は、制御部１０３と、モータ１０４に連動した巻取りドラム１０５を内蔵し、巻取りドラム１０５にはワイヤー１０６が張設され、ワイヤー１０６の先端には昇降部１０７が接続され、昇降部１０７には照明器具１０８が設置されている。
【０００５】
昇降部１０７の昇降はリモコン１０９で操作できるようになっており、このリモコン１０９からの信号を受信する受信部１１０が昇降部１０７の下面に設置されている。
【０００６】
上記構成において、電球の交換等で照明器具１０８を下降させる際に、リモコン１０９の下降スイッチ１１１を押すと、赤外線信号が送信され、受信部１１０でこの信号が電気信号に変換され、昇降機本体１０２に内蔵されている制御部１０３に入力される。制御部１０３はこの信号により、モータ１０４を巻取りドラム１０５からワイヤー１０６が伸びていく方向に駆動することにより、昇降部１０７が下降する。
【０００７】
床面付近まで照明器具１０８が下降した時に、リモコン１０９の停止スイッチ１１２を押すと、制御部１０３はモータ１０４の駆動を停止し、モータ１０４に内蔵されたギアと電磁ブレーキによって回転停止状態が保持されて昇降部１０７は停止する。
【０００８】
照明器具１０８を元の状態に戻すため、リモコン１０９に上昇スイッチ１１３を押すと、制御部１０３は、モータ１０４を巻取りドラム１０５にワイヤー１０６が巻き取られる方向に駆動することにより、昇降部１０７が上昇する。
【先行技術文献】
【特許文献】
【０００９】
【特許文献１】実開平６−２８９３２号公報
【発明の概要】
【発明が解決しようとする課題】
【００１０】
このような従来の昇降機においては、昇降部をワイヤーだけで昇降機本体から吊り下げる構成となっていたので、シーリングファンのように羽根を含めた全体の直径が１ｍを超えるものにあってはワイヤーだけでバランスを保ったまま、下降・上昇させるのが困難であり、羽根が回転・停止する時に取り付け面すなわち昇降部に水平の回転方向の力が加わるため、天井面から下降した場所で運転をすることができないという課題を有していた。
【００１１】
そこで本発明は、上記従来の課題を解決するものであり、安定した姿勢で下降・上昇でき、かつ天井面から下降した場所での運転ができるようにしたシーリングファン昇降機を提供することを目的とする。
【課題を解決するための手段】
【００１２】
そして、この目的を達成するために、本発明は、昇降機本体と、この昇降機本体にワイヤー等で吊設され、収縮自在のシャフトで昇降機本体と接続された昇降自在な昇降部と、この昇降部の下面に固定されたシーリングファンと、昇降機本体に上記昇降部を昇降制御する制御部とを有し、リモコンの信号により制御部は昇降部を床面付近まで下降できるようにしたものであり、これにより所期の目的を達成するものである。
【発明の効果】
【００１３】
本発明によれば、昇降機本体と、この昇降機本体にワイヤー等で吊設され、収縮自在のシャフトで昇降機本体と昇降部を接続するという構成にしたことにより、シャフトが伸び縮みすることで下降や上昇ができ、水平の回転方向の力がかかっても、昇降部が回転するのを前記シャフトが防止することとなるので、天井面から下降した場所でもシーリングファンが運転できるという効果を得ることができる。
【図面の簡単な説明】
【００１４】
【図１】本発明の実施の形態１のシーリングファン昇降機の構造図
【図２】同リモコンの斜視図
【図３】本発明の実施の形態２のシーリングファン昇降機のリモコンの斜視図
【図４】同回路のブロック図
【図５】本発明の実施の形態４のシーリングファン昇降機の構造図
【図６】同回路のブロック図
【図７】本発明の実施の形態５のシーリングファン昇降機のリモコンの斜視図
【図８】本発明の実施の形態６のシーリングファン昇降機の構造図
【図９】同回路のブロック図
【図１０】本発明の実施の形態７のシーリングファン昇降機のリモコンの斜視図
【図１１】本発明の実施の形態８のシーリングファン昇降機のリモコンの斜視図
【図１２】本発明の実施の形態９のシーリングファン昇降機の回路のブロック図
【図１３】本発明の実施の形態１０のシーリングファン昇降機のリモコンの斜視図
【図１４】従来の昇降機の構造図
【発明を実施するための形態】
【００１５】
本発明の請求項１記載のシーリングファン昇降機は、昇降機本体と、この昇降機本体にワイヤー等で吊設され、収縮自在のシャフトで昇降機本体と接続された昇降自在な昇降部と、この昇降部の下面に固定されたシーリングファンと、昇降機本体に上記昇降部を昇降制御する制御部とを有し、リモコンの信号により制御部は昇降部を床面付近まで下降できるという構成を有する。これにより、水平の回転方向の力がかかっても、昇降部が回転するのを前記シャフトが防止するので、天井面から下降した場所でもシーリングファンが運転できるという効果を奏する。
【００１６】
また、前記制御部は、リモコンからの信号によりシーリングファンの電源を切断できるという構成にしてもよい。これにより、運転時以外シーリングファンの電源を切断できるので、清掃や点検時にリモコンが操作されてもシーリングファンが不用意に動き出すことがないという効果を奏する。
【００１７】
また、制御部は、昇降部を下降または上昇させる時に、シーリングファンの電源を自動的に切断するという構成にしてもよい。これにより、シーリングファンが回転したまま上昇または下降することがなくなるので、回転方向の力は加わらなくなり、上下方向の動作だけであるため昇降部が大きく振れることがないという効果を奏する。
【００１８】
また、制御部は、昇降部が床面付近までの最大下降後には、昇降部が昇降機本体まで上昇した後でないとシーリングファンの電源が入らない構成にしてもよい。これにより、清掃や点検時には電源が切れているので、清掃や点検時にリモコンが操作されてもシーリングファンが不用意に動き出すことがないという効果を奏する。
【００１９】
また、制御部は、床面付近までの最大下降位置を記憶しており、床面付近までの下降時には最大下降点で自動的に停止する構成にしてもよい。これにより、床面付近まで下降した時に自動的に停止するので、シーリングファンが床面に衝突することがなくなり、シーリングファンの破損や床面の傷つきを防止できるという効果を奏する。
【００２０】
また、昇降部下面に床面までの距離を測定する測距センサーを有し、制御部は測距センサーの計測値に基づき床面付近までの下降時には床面に当たらない高さで自動的に停止する構成にしてもよい。これにより、床面にテーブル等の物が置かれた場合でも、当たらない高さで自動的に停止するため、シーリングファンが物に衝突することがなくなり、シーリングファンや床面に置かれた物の破損や傷つきを防止できるという効果を奏する。
【００２１】
また、リモコンで床面まで下降させる場合には、リモコンの複数のスイッチを押さなければ床面まで下降できない構成にしてもよい。これにより、誤ってスイッチを押してもシーリングファンは床面まで下降しないので、人や物が下降してきたシーリングファンに当ることを防止できるという効果を奏する。
【００２２】
また、リモコンは床面まで下降させるスイッチを隠す蓋を有し、下降させる場合には、前記蓋を開き、床面まで下降させるスイッチを押さなければ床面まで下降できない構成にしてもよい。これにより、誤ってスイッチを押してもシーリングファンは床面まで下降しないので、人や物が下降してきたシーリングファンに当ることを防止できるという効果を奏する。
【００２３】
また、制御部は発音回路を有し、床面まで下降時には床面到着まで報知音を鳴らし続ける構成にしてもよい。これにより、下降中であることが周囲の人にわかるので、下降してきたシーリングファンに当ることを防止できるという効果を奏する。
【００２４】
また、制御部は、シーリングファンが運転可能な下降範囲を記憶しており、運転時にはリモコンからの信号により、下降範囲内であれば自由にシーリングファンの高さを調節できる構成にしてもよい。これにより、吹き抜け等の高い天井にシーリングファンが設置されていても、床面からの高さが調節できるため、使用者は希望する風速を得ることができるという効果を奏する。
【００２５】
また、制御部は、シーリングファンが運転可能な下降範囲を記憶しており、運転開始時に下降範囲内の一番下まで自動的に下降する構成にしてもよい。これにより、吹き抜け等の高い天井にシーリングファンが設置されていても、運転時には最適な場所までシーリングファンが自動的に下降するため、使用者は下降させる操作をすることなく、希望する風速を得ることができるという効果を奏する。
【００２６】
また、昇降部下面に床面までの距離を測定する測距センサーを有し、前記制御部は測距センサーの計測値に基づき運転時にはリモコンからの信号により、人が手を上げてもシーリングファンの羽根に手が届かない高さ以上であれば自由にシーリングファンの高さを調節できる構成にしてもよい。これにより、設置時に下降範囲等の設定をする必要がなく、吹き抜け等の高い天井にシーリングファンが設置されていても、床面からの高さが調節できるため、使用者は希望する風速を得ることができるという効果を奏する。
【００２７】
また、昇降部下面に床面までの距離を測定する測距センサーを有し、前記制御部は測距センサーの計測値に基づき運転開始時に人が手を上げてもシーリングファンの羽根に手が届かない高さの下限まで自動的に下降する構成にしてもよい。これにより、設置時に下降範囲等の設定をする必要がなく、使用者は下降させる操作をすることなく、希望する風速を得ることができるという効果を奏する。
【００２８】
また、制御部は、運転停止時に自動的に前記昇降部を前記昇降機本体まで上昇する構成にしてもよい。これにより、シーリングファンを使用していない時に、エアコンからの風や窓を開けた場合の外からの風がシーリングファンにあたることによる、ワイヤーやシャフトに余計な力が加わるのを防止することができるという効果を奏する。
【００２９】
以下、本発明の実施の形態について図面を参照しながら説明する。
【００３０】
（実施の形態１）
図１に示すように、天井面に設置される昇降機本体１は、制御部２と、モータ３に連動した巻取りドラム４を内蔵し、巻取りドラム４にはワイヤー５が張設され、ワイヤー５の先端には昇降部６が接続され、さらに昇降機本体１には収縮自在のシャフト７が固定され、このシャフト７の反対側には昇降部６が接続されている。このシャフト７は複数の直径の異なる円筒形で構成され、昇降部６が天井面にあるときには一番縮んだ状態になり、この時には一番直径の大きいものに収納されている。また、それぞれ直径の異なる円筒状のシャフト７の下部には抜け止めの機構が設けられ、伸張する際にもそれぞれが抜けずに昇降機本体１と昇降部６を固定するようになっている。昇降部６の下面にはシーリングファン８が固定されている。
【００３１】
昇降部６の昇降はリモコン９で操作できるようになっており、このリモコン９からの信号を受信する受信部１０が昇降部６の下面に設置されている。
【００３２】
図２はリモコン９の斜視図で、昇降部６を制御するための上昇スイッチ１１、下降スイッチ１２、停止スイッチ１３のほか、シーリングファン８を制御するための運転入／切スイッチ１４、風量変更スイッチ１５等がリモコン９の表面に設けられている。
【００３３】
このような構成によれば、シーリングファン８を下降させる時には、リモコン９の下降スイッチ１２を押すことにより、赤外線の信号が送信される。昇降部６の下面に設けた受信部１０がこの信号を受け、制御部２に入力する。制御部２は信号の内容から下降指令と判断し、モータ３を巻取りドラム４からワイヤー５が伸びていく方向に駆動することにより、昇降部６が下降する。昇降部６の下降にともない、シャフト７も伸張して昇降部６は昇降機本体１とシャフトを介して接続されているので、昇降部６は回転せず、シーリングファン８は安定した姿勢を保ったまま下降する。
【００３４】
点検や清掃等で床面付近まで下降させる場合には、床面付近まで下降した時にリモコン９の停止スイッチ１３を押すことにより、受信部１０を介して制御部２に信号が伝送され、制御部２はモータ３の駆動を停止し、モータ３に内蔵されたギアと電磁ブレーキによって回転停止状態が保持されて昇降部６は停止する。
【００３５】
吹き抜け等の高い天井にシーリングファン８が設置されており、下降させてシーリングファン８を運転させる場合にも、上記と同様に下降スイッチ１２で意図する高さまで下降させた後、停止スイッチ１３で停止させる。その後、リモコン９のシーリングファン制御用の運転入／切スイッチ１４と風量変更スイッチ１５でシーリングファン８の運転を行う。
【００３６】
この場合にも昇降部６はシャフト７で昇降機本体１と接続されているので、シーリングファン８の運転・停止や回転数が変わることにともなう回転トルクが昇降部６に加わっても昇降部６は回転することなく、安定した姿勢を保ちシーリングファン８を運転することができる。
【００３７】
（実施の形態２）
図３は、本実施の形態２におけるリモコン９の斜視図を示す。図３において図１および図２と同様の構成要素については同一の符号を付し、その詳細な説明は省略する。
【００３８】
図３において、リモコン９には昇降部６を制御するスイッチ、シーリングファン８を制御するスイッチの他に、シーリングファン８の本体の電源を切断する電源スイッチ１６が設けられている。
【００３９】
以下、この電源スイッチ１６の動作について、図４の回路のブロック図を参照しながら説明する。制御部２はマイクロコンピュータ１７が内蔵されており、受信部１０からの信号が入力されている。前記マイクロコンピュータ１７はモータ駆動部１８を介してモータ３を制御している。また、前記マイクロコンピュータ１７はシーリングファン電源制御部１９を介してシーリングファン８への電源供給を制御している。
【００４０】
通常のシーリングファン８の使用時には、マイクロコンピュータ１７はシーリングファン電源制御部１９のリレー２０を閉じることにより、シーリングファン８へ電源を供給している。
【００４１】
清掃や点検等でシーリングファン８を下降させる時にはリモコン９の電源スイッチ１６を押すことにより、信号は受信部１０を介してマイクロコンピュータ１７に入力される。マイクロコンピュータ１７はこの信号が入力されると、シーリングファン電源制御部１９のリレー２０を開放することにより、シーリングファン８への電源を遮断する。
【００４２】
この状態ではリモコン９の運転入／切スイッチ１４を押しても、シーリングファン８の電源が遮断されているため、シーリングファン８は停止状態を継続するので、シーリングファン８が床面付近まで下降している時でも羽根が突然回転を始め、周囲の人や物に羽根があたる危険を防止することができる。点検や修理のためシーリングファン８の内部に触る時にも電源が遮断されているので、感電の危険を防止できる。
【００４３】
また、シーリングファン８の停止時に電源スイッチ１６により電源を遮断することによりシーリングファン８の待機電力を削減することができる。
【００４４】
（実施の形態３）
本実施の形態は前記実施の形態１あるいは２と制御方法が異なるのみであり、同一構成のものは同一番号を付して詳しい説明は省略する。
【００４５】
リモコン９の下降スイッチ１２あるいは上昇スイッチ１１を押すと信号は、受信部１０を介して制御部２のマイクロコンピュータ１７に入力される。マイクロコンピュータ１７は、モータ駆動部１８を介してモータ３を駆動することにより、昇降部６を下降あるいは上昇させると同時に、シーリングファン電源制御部１９のリレー２０を開放することによりシーリングファン８の電源を遮断する。
【００４６】
シーリングファン８が運転中でも電源が切断されて羽根の回転が止まり、昇降部６には回転方向の力は加わらなくなり、上下方向の動作だけになるため昇降部６が大きく振れることがなくなる。
【００４７】
（実施の形態４）
図５は、本実施の形態４における構造図を示し、図６は、本実施の形態４における回路のブロック図を示す。図５および図６において図１および図４と同様の構成要素については同一の符号を付し、その詳細な説明は省略する。
【００４８】
図５において、昇降機本体１の天井との取り付け面付近にリミットスイッチ２１が設けられ、昇降部６が最大上昇位置まで上昇したときに、このリミットスイッチ２１が導通する。図６の回路ブロック図に示すようにリミットスイッチ２１の信号はマイクロコンピュータ１７に入力されている。
【００４９】
上記構成において、リモコン９の下降スイッチ１２を押すとマイクロコンピュータ１７はモータ駆動部１８を介してモータ３を駆動し、昇降部６を下降させるとともに、シーリングファン電源制御部１９のリレー２０を開放しシーリングファン８への電源を遮断する。停止スイッチ１３が押されると、マイクロコンピュータ１７はモータ３の駆動を停止し、昇降部６を停止させる。マイクロコンピュータ１７はモータ３の駆動開始から駆動停止までの時間を計測し、この時間から昇降部６がどこまで下降したかを判別する。
【００５０】
この駆動開始から駆動停止までの時間が、床面付近まで下降するのに必要な時間以上であった場合、マイクロコンピュータ１７はシーリングファン８が床面付近まで下降したと判断し、シーリングファン８への電源の遮断状態を維持する。
【００５１】
リモコン９の上昇スイッチ１１が押されたときに、マイクロコンピュータ１７はモータ３をワイヤーを巻き取る方向に駆動し、昇降部６が天井面に達してリミットスイッチ２１が導通するとモータ３への通電を停止する。このとき、マイクロコンピュータ１７はシーリングファン電源制御部１９のリレー２０を閉じてシーリングファン８へ電源を供給する。
【００５２】
以上のように、シーリングファン８の電源は床面付近に達したときから天井面に戻るまでの間遮断されているので、清掃や点検時にリモコンが操作されてもシーリングファンが不用意に動き出すことがなく、修理時にシーリングファン８内部に触れても感電の危険がない。
【００５３】
（実施の形態５）
図７はリモコン９の斜視図であり、最大下降位置設定スイッチ２２が設けられている。その他は、前記実施の形態４と制御方法が異なるのみであり、同一構成のものは同一番号を付して詳しい説明は省略する。
【００５４】
設置時にリモコン９の下降スイッチ１２を押してシーリングファン８を天井面から最大下降位置になるまで下降させ、その状態でリモコン９の最大下降位置設定スイッチ２２を押すと、マイクロコンピュータ１７は下降開始から停止までの時間を記憶する。
【００５５】
点検や清掃等で床面付近まで下降させる際に、リモコン９の下降スイッチ１２を押すとマイクロコンピュータ１７はモータ３に通電を開始し、通電時間の計測を始め、記憶している時間が経過すると、モータ３の通電を停止する。
【００５６】
これにより、床面付近まで下降した時に自動的に停止するので、シーリングファン８が床面に衝突することがなくなり、シーリングファン８の破損や床面の傷つきを防止できる。
【００５７】
また、部屋のレイアウトの変更でシーリングファン８の真下にテーブル等を置いた場合には、最大下降位置設定スイッチ２２により、再度、最大下降位置を簡単に変更することができる。
【００５８】
（実施の形態６）
図８は、本実施の形態６における構造図を示し、図９は、同回路のブロック図を示す。図８および図９において図５および図６と同様の構成要素については同一の符号を付し、その詳細な説明は省略する。
【００５９】
昇降部６の下面には下向きに測距センサー２３が設けられ、その信号は制御部２のマイクロコンピュータ１７に入力されている。
【００６０】
点検や清掃等のため、床面付近までシーリングファン８を下降させる時には、リモコン９の下降スイッチ１２を押すとマイクロコンピュータ１７はモータ３を駆動し、昇降部６を下降させる。測距センサー２３は下降中、常に床面方向の距離を測定しており、その測定結果をマイクロコンピュータ１７に入力している。マイクロコンピュータ１７は測距センサー２３からの距離の測定結果が、無理なく点検・清掃等ができる７０〜８０ｃｍになったときに自動的にモータ３の駆動を停止する。
【００６１】
これにより、床面にテーブル等の物が置かれた場合でも、当たらない高さで自動的に停止するため、シーリングファン８が物に衝突することがなくなり、シーリングファン８や床面に置かれた物の破損や傷つきを防止できる。
【００６２】
（実施の形態７）
図１０は、本実施の形態７におけるリモコンの斜視図を示す。図１０において図２と同様の構成要素については同一の符号を付し、その詳細な説明は省略する。
【００６３】
リモコン９には、床面スイッチ２４が設けられており、点検や清掃等のため、床面付近までシーリングファン８を下降させる時には、リモコン９の下降スイッチ１２と床面スイッチ２４を同時に押すことにより、その信号が制御部２のマイクロコンピュータ１７に入力され、モータ３を駆動しシーリングファン８を床面付近の最大下降位置まで下降させる。これにより、誤って下降スイッチ１２を押してもシーリングファン８は床面まで下降しないので、人や物が下降してきたシーリングファン８にあたることを防止できる。
【００６４】
（実施の形態８）
図１１は、本実施の形態７におけるリモコンの斜視図を示す。図１１において図２と同様の構成要素については同一の符号を付し、その詳細な説明は省略する。
【００６５】
リモコン９には蓋２５が設けられ、蓋２５を開いた奥に床面下降スイッチ２６が配置されている。点検や清掃等のため、床面付近までシーリングファン８を下降させる時には、リモコン９の蓋２５を開き床面下降スイッチ２６を押すことにより、その信号が制御部２のマイクロコンピュータ１７に入力され、モータ３を駆動しシーリングファン８を床面付近の最大下降位置まで下降させる。
【００６６】
これにより、誤ってリモコン９に触れてスイッチが押された状態になっても、シーリングファン８は床面まで下降しないので、人や物が下降してきたシーリングファンに当ることを防止できる。
【００６７】
（実施の形態９）
図１２は、本実施の形態７における回路のブロック図を示す。図１２において図４と同様の構成要素については同一の符号を付し、その詳細な説明は省略する。
【００６８】
制御部２は発音回路２７を内蔵し、この発音回路２７はマイクロコンピュータ１７から駆動される。
【００６９】
下降スイッチ１２が押され、昇降部６が床面付近まで下降する際には、マイクロコンピュータ１７が発音回路２７を駆動することにより、報知音を鳴らす。
【００７０】
これにより、シーリングファン８が下降中であることが周囲の人にわかるので、下降してきたシーリングファン８に当ることを防止できる。
【００７１】
（実施の形態１０）
図１３はリモコン９の斜視図であり、運転時下降位置設定スイッチ２８が設けられている。その他は、前記実施の形態４と制御方法が異なるのみであり、同一構成のものは同一番号を付して詳しい説明は省略する。
【００７２】
設置時にリモコン９の下降スイッチ１２を押してシーリングファン８を通常運転が可能な人が手を上げても羽根にあたらない高さまで下降させ、その状態でリモコン９の運転時下降位置設定スイッチ２８を押すと、マイクロコンピュータ１７は下降開始から停止までのモータ３への通電時間を運転時下降時間として記憶する。
【００７３】
シーリングファン８を運転する前に、リモコン９の下降スイッチ１２を押すとマイクロコンピュータ１７はモータ３に通電を開始し昇降部６の下降開始とともに、通電時間の計測を始める。マイクロコンピュータ１７は記憶している時間内であれば、モータ３への通電を続け、停止スイッチ１３が押されるとモータ３への通電を停止し、通電時間の計測を止める。マイクロコンピュータ１７は記憶している運転時下降時間と今回の通電時間により昇降部６の位置を判断しており、下降方向への積算通電時間が運転時下降時間よりも短い間は、下降スイッチ１２により昇降部６を下降させる。下降方向への積算通電時間が運転時下降時間に達した場合には、昇降部６を停止し、以降、下降スイッチ１２が押されても昇降部６は下降させない。
【００７４】
これにより、吹き抜け等の高い天井にシーリングファンが設置されていても、床面からの高さが調節できるため、使用者は希望する風速を得ることができる。
【００７５】
（実施の形態１１）
本実施の形態は前記実施の形態１０と制御方法が異なるのみであり、同一構成のものは同一番号を付して詳しい説明は省略する。
【００７６】
設置時にリモコン９の下降スイッチ１２を押してシーリングファン８を通常運転が可能な人が手を上げても羽根にあたらない高さまで下降させ、その状態でリモコン９の運転時下降位置設定スイッチ２８を押すと、マイクロコンピュータ１７は下降開始から停止までのモータ３への通電時間を運転時下降時間として記憶する。
【００７７】
リモコン９の運転入／切スイッチ１４によりシーリングファン８の運転を開始する場合に、制御部２のマイクロコンピュータ１７はモータ３に通電し昇降部６を下降させ、記憶している運転時下降時間が経過すると自動的にモータ３の通電を停止し、昇降部６を止め、シーリングファン８は運転を開始する。
【００７８】
これにより、吹き抜け等の高い天井にシーリングファンが設置されていても、運転時には最適な場所までシーリングファンが自動的に下降するため、使用者は下降させる操作をすることなく、希望する風速を得ることができる。
【００７９】
（実施の形態１２）
本実施の形態は前記実施の形態６と制御方法が異なるのみであり、同一構成のものは同一番号を付して詳しい説明は省略する。
【００８０】
昇降部６の下面には下向きに測距センサー２３が設けられ、その信号は制御部２のマイクロコンピュータ１７に入力されている。
【００８１】
シーリングファン８の運転開始時、リモコン９の下降スイッチ１２を押すと昇降部６が下降を始める。測距センサー２３は下降中、常に床面方向の距離を測定しており、その測定結果をマイクロコンピュータ１７に入力している。マイクロコンピュータ１７は測距センサー２３からの距離の測定結果が、人が手を上げても羽根にあたらない高さである床面から約２ｍ以上であれば、下降を継続し、停止スイッチ１３が押されると停止する。
【００８２】
以降、下降スイッチ１２・上昇スイッチ１１・停止スイッチ１３により、床面から約２ｍ以上であれば、自由にシーリングファン８の高さを自由に調節可能である。
【００８３】
これにより、設置時に下降範囲等の設定をする必要がなく、吹き抜け等の高い天井にシーリングファンが設置されていても、床面からの高さが調節できるため、使用者は希望する風速を得ることができる。
【００８４】
（実施の形態１３）
本実施の形態は前記実施の形態１３と制御方法が異なるのみであり、同一構成のものは同一番号を付して詳しい説明は省略する。
【００８５】
昇降部６の下面には下向きに測距センサー２３が設けられ、その信号は制御部２のマイクロコンピュータ１７に入力されている。
【００８６】
リモコン９の運転入／切スイッチ１４によりシーリングファン８の運転を開始する場合に、制御部２のマイクロコンピュータ１７はモータ３に通電し昇降部６の下降を開始する。測距センサー２３は下降中、常に床面方向の距離を測定しており、その測定結果をマイクロコンピュータ１７に入力している。マイクロコンピュータ１７は測距センサー２３からの距離の測定結果が、人が手を上げても羽根にあたらない高さである床面から約２ｍまで下降を継続し、床面から約２ｍの位置で自動的にモータ３の通電を停止し、昇降部６を止め、シーリングファン８は運転を開始する。
【００８７】
これにより、吹き抜け等の高い天井にシーリングファンが設置されていても、運転時には最適な場所までシーリングファンが自動的に下降するため、使用者は下降させる操作をすることなく、希望する風速を得ることができる。
【００８８】
（実施の形態１４）
本実施の形態は前記実施の形態１４と制御方法が異なるのみであり、同一構成のものは同一番号を付して詳しい説明は省略する。
【００８９】
リモコン９の運転入／切スイッチ１４によりシーリングファン８の運転を停止した場合、マイクロコンピュータ１７はモータ３に通電し昇降部６の上昇を開始する。昇降部６が最大上昇位置まで上昇し、昇降機本体１下部に設けられたリミットスイッチ２１が導通するとマイクロコンピュータ１７はモータ３の通電を停止し、モータ３に内蔵されたギアと電磁ブレーキにより昇降部６は天井面で保持される。
【００９０】
これにより、シーリングファンを使用していない時に、エアコンからの風や窓を開けた場合の外からの風がシーリングファンにあたることによる、ワイヤーやシャフトに余計な力が加わるのを防止することができる。
【産業上の利用可能性】
【００９１】
本発明にかかるシーリングファン昇降機は、天井から下降した場所でもシーリングファンの運転を可能とし、かつ点検や清掃時には床面付近まで下降を可能とするものであるので、一般家庭や事務所、店舗に使用されるシーリングファンや旋回型扇風機等として有用である。
【符号の説明】
【００９２】
１  昇降機本体
２  制御部
５  ワイヤー
６  昇降部
７  シャフト
８  シーリングファン
【図１】
2011017266.tif 000003
【図２】
2011017266.tif 000004
【図３】
2011017266.tif 000005
【図４】
2011017266.tif 000006
【図５】
2011017266.tif 000007
【図６】
2011017266.tif 000008
【図７】
2011017266.tif 000009
【図８】
2011017266.tif 000010
【図９】
2011017266.tif 000011
【図１０】
2011017266.tif 000012
【図１１】
2011017266.tif 000013
【図１２】
2011017266.tif 000014
【図１３】
2011017266.tif 000015
【図１４】
2011017266.tif 000016